(57)【特許請求の範囲】
【請求項１】
書込情報が書き込まれるグルーブとランドとが形成され、前記グルーブと前記ランドとに１周毎に交互に情報アドレスが付加された情報記録媒体において、
前記グルーブに付加された前記情報アドレスと前記ランドに付加された前記情報アドレスとの間で連続的に増加する前記情報アドレスが１／２周ずれた位置にある
ことを特徴とする情報記録媒体。
【請求項２】
書込情報が書き込まれるグルーブとランドとが隣接して螺旋状に形成された円盤状の情報記録媒体の前記グルーブと前記ランドとに選択的に書込情報を書き込む書込部を備え、前記グルーブと当該グルーブに隣接する内側か外側どちらか一方の前記ランドとの間のトラックジャンプを１周毎に行なって前記書込部により前記グルーブと前記ランドとに交互に前記書込情報を書き込み、前記書込情報に情報アドレスを順次増加させて付加する情報記録装置において、
前記グルーブと前記ランドとの間のトラックジャンプを行なうとき１／２周ずれた位置に前記書込部をアクセスさせる書込アクセス手段と、
前記グルーブと当該グルーブに隣接する内側か外側どちらか一方の前記ランドとの両方に付加する同一な共通アドレスを格納する共通アドレス格納部と、
前記グルーブ及び前記ランドで前記書込情報を書き込み始める位置から１／２周分と残りの１／２周分とを識別する識別情報を格納する識別情報格納部と、
前記共通アドレスに前記識別情報を付加する識別情報付加手段と、
前記識別情報付加手段により前記識別情報が付加された前記共通アドレスを前記グルーブと前記ランドとの両方に付加する共通アドレス付加手段と、
前記識別情報が付加された前記共通アドレスに基づいて前記グルーブ及び前記ランドで前記書込情報を書き込み始める位置から１／２周分と残りの１／２周分とを識別する識別手段と、
前記書込情報を書き込み始める位置から１／２周分の前記グルーブ及び前記ランドであると前記識別手段により識別された場合、前記識別情報が付加された前記共通アドレスに基づいて前記グルーブ又は前記ランドに書き込む前記書込情報の情報アドレスを検出する第一の書込情報アドレス検出手段と、
残りの１／２周分の前記グルーブ及び前記ランドであると前記識別手段により識別された場合、前記識別情報が付加された前記共通アドレスに基づいて前記グルーブ又は前記ランドに書き込む前記書込情報の情報アドレスを検出する第二の書込情報アドレス検出手段と、
を備えることを特徴とする情報記録装置。
【請求項３】
円盤状の情報記録媒体のグルーブとランドとに選択的に書込情報を書き込む書込部を備え、前記グルーブ及び前記ランドのブロックＮ個分のＥＣＣ（Ｅrror Ｃorrecting Ｃode：誤り訂正符号）を前記書込情報に付加し、前記ＥＣＣが付加された前記書込情報を前記グルーブ又は前記ランドに書き込む情報記録装置において、
前記グルーブ又は前記ランドに書き込む前記書込情報に付加される情報アドレスを格納する情報アドレス格納部と、
前記書込情報に前記情報アドレスを付加する情報アドレス付加手段と、
前記グルーブと前記ランドとの間のトラックジャンプをＮ周の整数倍毎に行なって前記書込部により前記グルーブと前記ランドとに交互に前記書込情報を書き込むトラックジャンプ手段と、
前記情報アドレスが付加された前記書込情報を前記グルーブ又は前記ランドに書き込む毎に前記情報アドレス格納部に格納されている前記情報アドレスを順次増加させる情報アドレス増加手段と、
前記トラックジャンプ手段により前記グルーブと前期ランドとの間のトラックジャンプを行なうとき１／２周ずれた位置に前記書込部をアクセスさせる書込アクセス手段と、
を備えることを特徴とする情報記録装置。
【請求項４】
グルーブ及びランドが形成された記録層をＡｇＩｎＳｂＴｅ系の記録材料により形成する
ことを特徴とする請求項１記載の情報記録媒体。
【発明の詳細な説明】
【０００１】
【発明の属する技術分野】
本発明は、情報記録媒体及び情報記録装置に関する。
【０００２】
【従来の技術】
情報記録装置には、回転自在で着脱自在に設けられた光ディスクを回転させ、その光ディスクに光ヘッドで情報を書き込むものがある。また、その光ディスクには、容量の大きなＤＶＤ（Ｄigital Ｖideo Ｄisc ：デジタルビデオディスク）の一つで複数回書き換え可能なＤＶＤ−ＲＡＭがある。
【０００３】
ところで、ＤＶＤ−ＲＡＭに情報を書き込む情報記録装置において、ＤＶＤ−ＲＡＭの容量を増やすためグルーブとランドとに情報を書き込むものがある。このような情報記録装置には、回転するＤＶＤ−ＲＡＭに対して半径方向に光ヘッドを１周毎に移動させ、グルーブとランドとの間のトラックジャンプを１周毎に行なってグルーブとランドとに交互に情報を書き込むものがある。この情報記録装置により情報が書き込まれるＤＶＤ−ＲＡＭの記録エリアの概略図を図１２に示す。図１２に示すようにＤＶＤ−ＲＡＭの記録エリア１０１には、情報が書き込まれるグルーブ１０２とランド１０３とが螺旋状に形成されている。それらのグルーブ１０２及びランド１０３には、情報が記録される最小単位であるブロック１０４が多数設けられている。
【０００４】
また、グルーブ１０２とランド１０３とに１周毎に交互に情報を書き込む情報記録装置は、例えば１周分のグルーブ１０２に情報を順次書き込む。このとき、各情報には、アドレスが付加されている。このアドレスは、グルーブ１０２又はランド１０３に情報を書き込む毎に増加するように設定されている。従って、１周分のグルーブに書き込まれた情報には、情報アドレスｎ，ｎ＋１，ｎ＋２，ｎ＋３が順次付加されている。そして、１周分のグルーブ１０２に対して情報の書き込みが終了すると、グルーブ１０２とランド１０３との間のトラックジャンプを行ない、内側のランド１０３にアクセスする。その後、１周分のランド１０３に情報アドレスｎ＋４，ｎ＋５，ｎ＋６，ｎ＋７を順次書き込む。そして、１周分のランド１０３に対して情報の書き込みが終了すると、グルーブ１０２とランド１０３との間でトラックジャンプを行ない、すぐ内側のグルーブ１０２にアクセスする。その後、前述の動作を繰り返し、グルーブ１０２とランド１０３との間のトラックジャンプを１周毎に行なってグルーブ１０２とランド１０３とに交互に情報ｎ＋８，ｎ＋９，…，ｎ＋１８を書き込む。
【０００５】
【発明が解決しようとする課題】
ところが、前述の情報記録装置では、トラックジャンプの前後で情報が書き込まれるブロック１０４が隣接しているので、トラックジャンプを行なってグルーブ（又はランド）からランド（又はグルーブ）へ移る間にトラックジャンプ先のブロック１０４が光ヘッドの位置を通り過ぎてしまう。これにより、トラックジャンプ先のブロック１０４にアクセスするためには、ブロック１０４が１周してくるのを待たなければならない。従って、グルーブ１０２とランド１０３との間のトラックジャンプを行なう時間が長くなるという問題がある。
【０００６】
【課題を解決するための手段】
請求項１記載の発明は、書込情報が書き込まれるグルーブとランドとが形成され、前記グルーブと前記ランドとに１周毎に交互に情報アドレスが付加された情報記録媒体において、前記グルーブに付加された前記情報アドレスと前記ランドに付加された前記情報アドレスとの間で連続的に増加する前記情報アドレスが１／２周ずれた位置にある。従って、グルーブとランドとの間のトラックジャンプを行なうとき情報記録媒体が１／２周する間に所定の位置にアクセスさせることができるため、グルーブとランドとの間のトラックジャンプにかかる時間が短くなる。
【０００７】
請求項２記載の発明は、書込情報が書き込まれるグルーブとランドとが隣接して螺旋状に形成された円盤状の情報記録媒体の前記グルーブと前記ランドとに選択的に書込情報を書き込む書込部を備え、前記グルーブと当該グルーブに隣接する内側か外側どちらか一方の前記ランドとの間のトラックジャンプを１周毎に行なって前記書込部により前記グルーブと前記ランドとに交互に前記書込情報を書き込み、前記書込情報に情報アドレスを順次増加させて付加する情報記録装置において、前記グルーブと前記ランドとの間のトラックジャンプを行なうとき１／２周ずれた位置に前記書込部をアクセスさせる書込アクセス手段と、前記グルーブと当該グルーブに隣接する内側か外側どちらか一方の前記ランドとの両方に付加する同一な共通アドレスを格納する共通アドレス格納部と、前記グルーブ及び前記ランドで前記書込情報を書き込み始める位置から１／２周分と残りの１／２周分とを識別する識別情報を格納する識別情報格納部と、前記共通アドレスに前記識別情報を付加する識別情報付加手段と、前記識別情報付加手段により前記識別情報が付加された前記共通アドレスを前記グルーブと前記ランドとの両方に付加する共通アドレス付加手段と、前記識別情報が付加された前記共通アドレスに基づいて前記グルーブ及び前記ランドで前記書込情報を書き込み始める位置から１／２周分と残りの１／２周分とを識別する識別手段と、前記書込情報を書き込み始める位置から１／２周分の前記グルーブ及び前記ランドであると前記識別手段により識別された場合、前記識別情報が付加された前記共通アドレスに基づいて前記グルーブ又は前記ランドに書き込む前記書込情報の情報アドレスを検出する第一の書込情報アドレス検出手段と、残りの１／２周分の前記グルーブ及び前記ランドであると前記識別手段により識別された場合、前記識別情報が付加された前記共通アドレスに基づいて前記グルーブ又は前記ランドに書き込む前記書込情報の情報アドレスを検出する第二の書込情報アドレス検出手段とを備える。従って、グルーブとランドとの間のトラックジャンプを行なうとき１／２周ずれた位置に書込部を書込アクセス手段によりアクセスさせることにより、情報記録媒体が１／２周する間に書込部を所定の位置にアクセスさせることができるため、グルーブとランドとの間のトラックジャンプにかかる時間が短くなる。また、識別情報付加手段により識別情報が付加された共通アドレスをグルーブとランドとの両方に共通アドレス付加手段により付加し、識別情報が付加された共通アドレスに基づいてグルーブ及びランドで書込情報を書き込み始める位置から１／２周分と残りの１／２周分とを識別手段により識別し、書込情報を書き込み始める位置から１／２周分のグルーブ又はランドであると識別手段により識別された場合、識別情報が付加された共通アドレスに基づいてグルーブ又はランドに書き込む書込情報の情報アドレスを第一の書込情報アドレス検出手段により検出し、残りの１／２周分のグルーブ又はランドであると識別手段により識別された場合、識別情報が付加された共通アドレスに基づいてグルーブ又はランドに書き込む書込情報の情報アドレスを第二の書込情報アドレス検出手段により検出することにより、識別情報が付加された共通アドレスをグルーブとランドとで共有することができ、共通アドレスに基づいてグルーブ又はランドに書き込む書込情報の情報アドレスを得ることができるため、グルーブとランドとに予め付加しておくアドレスが容易に決定される。
【００１０】
請求項３記載の発明は、円盤状の情報記録媒体のグルーブとランドとに選択的に書込情報を書き込む書込部を備え、前記グルーブ及び前記ランドのブロックＮ個分のＥＣＣを前記書込情報に付加し、前記ＥＣＣが付加された前記書込情報を前記グルーブ又は前記ランドに書き込む情報記録装置において、前記グルーブ又は前記ランドに書き込む前記書込情報に付加される情報アドレスを格納する情報アドレス格納部と、前記書込情報に前記情報アドレスを付加する情報アドレス付加手段と、前記グルーブと前記ランドとの間のトラックジャンプをＮ周の整数倍毎に行なって前記書込部により前記グルーブと前記ランドとに交互に前記書込情報を書き込むトラックジャンプ手段と、前記情報アドレスが付加された前記書込情報を前記グルーブ又は前記ランドに書き込む毎に前記情報アドレス格納部に格納されている前記情報アドレスを順次増加させる情報アドレス増加手段とを備える。従って、書込情報に情報アドレスを付加し、グルーブとランドとの間のトラックジャンプをトラックジャンプ手段によりＮ周の整数倍毎に行なって書込部によりグルーブとランドとに交互に書込情報を書き込み、また、書込情報をグルーブ又はランドに書き込む毎に情報アドレス格納部に格納されている情報アドレスを情報アドレス増加手段により順次増加させることにより、書込情報に付加されるＥＣＣをグルーブとランドとに分けて書き込むのを防止できるため、ＥＣＣの処理を行なう処理時間が長くなるのが防止される。また、トラックジャンプ手段によりグルーブとランドとの間のトラックジャンプを行なうとき１／２周ずれた位置に書込部をアクセスさせる書込アクセス手段を備える。従って、グルーブとランドとの間のトラックジャンプを行なうとき１／２周ずれた位置に書込部を書込アクセス手段によりアクセスさせることにより、情報記録媒体が１／２周する間に書込部を所定の位置にアクセスさせることができるため、グルーブとランドとの間のトラックジャンプにかかる時間が短くなる。
【００１２】
請求項４記載の発明は、請求項１記載の情報記録媒体におけるグルーブ及びランドが形成された記録層をＡｇＩｎＳｂＴｅ系の記録材料により形成する。従って、オーバーライト特性が向上する。
【００１３】
【発明の実施の形態】
請求項１及び４記載の発明の実施の一形態の情報記録媒体を図１ないし図３に基づいて説明する。本実施の形態の情報記録媒体を図３に示す。この情報記録媒体は、複数回書き換え可能なＤＶＤ−ＲＡＭである。このＤＶＤ−ＲＡＭの記録エリア１には、書込情報が書き込まれるグルーブ２とランド３とが螺旋状に形成されている。前記グルーブ２及び前記ランド３には、１周あたり４個のブロックが形成されている。前記グルーブ２及び前記ランド３が形成されている記録層は、ＡｇＩｎＳｂＴｅ系の記録材料により形成されている。
【００１４】
また、ＤＶＤ−ＲＡＭに書込情報を書き込む情報記録装置がある。この情報記録装置には、ＤＶＤ−ＲＡＭを着脱自在に保持して回転させる保持部（図示せず）と、回転するＤＶＤ−ＲＡＭに書込情報を書き込む書込部である光ヘッド４とが設けられている。前記光ヘッド４は、ＤＶＤ−ＲＡＭに書込情報を書き込むだけでなく、ＤＶＤ−ＲＡＭに書き込まれている情報を読み取ったり、ＤＶＤ−ＲＡＭに書き込まれている情報を消去したりする。
【００１５】
図２に示すように前記情報記録装置には、この情報記録装置内の各部の動作を制御するＣＰＵ５が設けれている。前記ＣＰＵ５には、前記光ヘッド４を駆動する光ヘッド駆動部６がバス７を介して接続されている。前記ＣＰＵ５には、サーボモータ８を駆動するサーボモータ駆動部９が前記バス７を介して接続されている。前記サーボモータ８は、前記ＤＶＤ−ＲＡＭに対して前記光ヘッド４を半径方向に移動させる。前記ＣＰＵ５には、光ディスク駆動モータ１０を駆動するモータ駆動部１１が前記バス７を介して接続されている。前記光ディスク駆動モータ１０は、前記保持部に保持された前記ＤＶＤ−ＲＡＭを回転させる。前記ＣＰＵ５には、Ｉ／Ｏポート１２が前記バス７を介して接続されている。前記Ｉ／Ｏポート１２には、操作部１３と、入力部１４と、出力部１５とが接続されている。前記操作部１３には、例えばＤＶＤ−ＲＡＭに書込情報を書き込む動作を開始させる書込スタートキーや、ＤＶＤ−ＲＡＭに書き込まれている情報を読み取る動作を開始させる読取スタートキーが設けられている。前記入力部１４は、例えばＤＶＤ−ＲＡＭに書き込む書込情報が入力される。前記出力部１５は、例えば前記光ヘッド４により読み取られたＤＶＤ−ＲＡＭの情報を出力する。前記ＣＰＵ５には、ＲＡＭ１６と、ＲＯＭ１７とが前記バス７を介して接続されている。前記ＲＡＭ１６は、ワークエリアとして使用される。前記ＲＯＭ１７は、例えば各部の動作の制御に関するプログラムが記憶されている。
【００１６】
このような構成において、図１に基づいて情報記録装置によりＤＶＤ−ＲＡＭに書込情報を書き込む書込動作について説明する。入力部１４より書込情報が入力され、書込スタートキーが押されると、モータ駆動部１１により光ディスク駆動モータ１０が駆動されてＤＶＤ−ＲＡＭを回転させ、サーボモータ駆動部９によりサーボモータ８が駆動されて光ヘッド４がＤＶＤ−ＲＡＭの半径方向に移動し、グルーブ２で書込情報を書き込み始める位置にアクセスする。そして、光ヘッド駆動部６により光ヘッド４が駆動されてグルーブ２に書込情報を書き込む（ステップＳｔ．１）。その後、グルーブ２を１周し、１周分のグルーブ２（４個のブロック）に書込情報を書き込んだか否かを判断する（ステップＳｔ．２）。このＳｔ．２においてグルーブ２を１周していない（ＮＯ）と判断した場合には、前述のＳｔ．１が繰り返し行なわれ、グルーブ２のブロックに書込情報を順次書き込む。
【００１７】
前述のＳｔ．２において、グルーブを１周し、１周分のグルーブ２に書込情報ｎ，ｎ＋１，ｎ＋２，ｎ＋３を書き込んだ（ＹＥＳ）と判断すると、書込動作を一旦停止し、ＤＶＤ−ＲＡＭに書き込むべき書込情報があるか否かを判断する（ステップＳｔ．３）。このＳｔ．３において、ＤＶＤ−ＲＡＭに書き込むべき書込情報がない（ＮＯ）と判断された場合には、書込動作を終了する。
【００１８】
前述のＳｔ．３においてＤＶＤ−ＲＡＭに書き込むべき書込情報がある（ＹＥＳ）と判断された場合には、サーボモータ駆動部９によりサーボモータ８が駆動され、光ヘッド４がグルーブ２から隣接する内側のランド３へ移動する。そして、書込動作を一旦停止させた位置のブロックから１／２ずれた位置のブロックにアクセスすることにより１／２周ずれた位置にトラックジャンプを行なう（ステップＳｔ．４）。
【００１９】
そして、ランド３に書込情報を書き込む（ステップＳｔ．５）。このとき、ランド３に書き込む書込情報の情報アドレスとＳｔ．１においてグルーブ２に書き込んだ書込情報の情報アドレスとが連続的に増加するように情報アドレスが付加される。その後、ランド３を１周し、１周分のランド３（４個のブロック）に書込情報を書き込んだか否かを判断する（ステップＳｔ．６）。このＳｔ．６においてランドを１周していない（ＮＯ）と判断した場合には、前述のＳｔ．５が繰り返し行なわれ、ランドのブロックに書込情報ｎ＋４，ｎ＋５，ｎ＋６，ｎ＋７を書き込む。
【００２０】
前述のＳｔ．５において、１周分のランド３に書込情報ｎ＋４，ｎ＋５，ｎ＋６，ｎ＋７を書き込んだ（ＹＥＳ）と判断すると、書込動作を一旦停止し、ＤＶＤ−ＲＡＭに書き込むべき書込情報があるか否かを判断する（ステップＳｔ．７）。このＳｔ．７において、ＤＶＤ−ＲＡＭに書き込むべき書込情報がない（ＮＯ）と判断された場合には、書込動作を終了する。
【００２１】
前述のＳｔ．７においてＤＶＤ−ＲＡＭに書き込むべき書込情報がある（ＹＥＳ）と判断された場合には、サーボモータ駆動部９によりサーボモータ８が駆動され、光ヘッド４がＤＶＤ−ＲＡＭの半径方向にランド３から内側のグルーブ２及びランド３を越えてグルーブ２へ移動する。そして、書込動作を一旦停止させた位置のブロックから１／２周ずれた位置のブロックにアクセスすることにより１／２周ずれた位置にトラックジャンプを行なう（ステップＳｔ．８）。そして、前述のＳｔ．１以下の動作が繰り返し行なわれ、グルーブ２とランド３とに１周毎に交互に書込情報を書き込む。
【００２２】
このように、グルーブ２からランド３へトラックジャンプする場合には、グルーブ２から隣接する内側のランド３へ移動し、書込動作を一旦停止させた位置のブロックから１／２周ずれた位置のブロックにアクセスする。また、ランド３からグルーブ２へトラックジャンプする場合には、ＤＶＤ−ＲＡＭの半径方向にランド３から内側のグルーブ２及びランド３を越えてグルーブ２へ移動し、書込動作を一旦停止させた位置のブロックから１／２周ずれた位置のブロックにアクセスする。このとき、ランド３から隣接する内側のグルーブ２へ移動する時間と、ＤＶＤ−ＲＡＭの半径方向にランド３から内側のグルーブ２及びランド３を越えてグルーブ２へ移動する時間とはあまり差がない。しかし、グルーブ２（又はランド３）からランド３（又はグルーブ２）へ移動する際に、書込動作を一旦停止させた位置のすぐ内側のブロックは光ヘッド４を通り越してしまうので、書込動作を一旦停止させた位置のすぐ内側のブロックにアクセスするよりも書込動作を一旦停止させた位置のブロックから１／２周ずれた位置のブロックにアクセスする方が時間が短くなる。従って、グルーブ２とランド３との間のトラックジャンプにかかる時間が短くなる。また、グルーブ２に書き込んだ書込情報の情報アドレスとランド３に書き込んだ書込情報の情報アドレスとの間で連続的に増加する情報アドレスが１／２周ずれた位置に付加されるので、グルーブ２とランド３との間のトラックジャンプを行なうときＤＶＤ−ＲＡＭが１／２周する間に連続的に増加する情報アドレスにアクセスすることができ、これにより、グルーブ２とランド３との間のトラックジャンプにかかる時間が短くなる。
【００２３】
また、グルーブ２及びランド３が形成されている記録層をＡｇＩｎＳｂＴｅ系の記録材料により形成することにより、オーバーライト特性が向上する。
【００２４】
請求項２記載の発明の実施の一形態の情報記録装置を図４ないし図７に基づいて説明する。前述の実施に形態において説明した部分と同一部分については、同一符号を用いて表し、その説明を省略する（以下、他の実施の形態においても同様とする）。ＲＡＭ１６は、グルーブ２とランド３との両方に付加する同一な共通アドレスであるＩＤの番号Ｎ−１，Ｎ，・・・，Ｎ＋４を格納する共通アドレス格納部である。ＩＤは、グルーブ２とその外側のランド３とに付加されるアドレスである。ＩＤは、グルーブ２及びランド３に形成されているブロック毎に付加される。
【００２５】
ＲＯＭ１７は、グルーブ２及びランド３で書込情報を書き込み始める位置から１／２周分と残りの１／２周分とを識別する識別情報であるアドレス識別ビットを格納する識別情報格納部である。
【００２６】
また、前述の実施の形態において説明したように情報記録装置では、グルーブ２とランド３との間のトラックジャンプを行なうとき１／２周ずれた位置に光ヘッド４をアクセスさせる動作が行なわれる。この動作が書込アクセス手段の機能として実行される。
【００２７】
図４に基づいて同一のＩＤをグルーブ２とランド３との両方に付加する動作を説明する。情報記録装置にＤＶＤ−ＲＡＭがセットされると、ＩＤの最上位にアドレス識別ビットを付加する。このとき、グルーブ２で書込情報を書き込み始める位置のブロックを基準とする。この基準のブロックに付加されるＩＤをＮとする。すると、グルーブ２で書込情報を書き込み始める位置から１／２周分のブロックに付加されるＩＤはＮ，Ｎ＋１及びＮ＋４であり、残りの１／２周分のブロックに付加されるＩＤはＮ−１，Ｎ＋２及びＮ＋３である。従って、Ｎ，Ｎ＋１及びＮ＋４のＩＤに付加されるアドレス識別ビットを０とする。また、Ｎ−１，Ｎ＋２及びＮ＋３のＩＤに付加されるアドレス識別ビットを１とする（ステップＳｔ．９）。
【００２８】
このＳｔ．９において、ＩＤにアドレス識別ビットを付加し、ＩＤが付加されるブロックの位置に合わせてアドレス識別ビットを０又は１とする動作が識別情報付加手段の機能として実行される。
【００２９】
その後、アドレス識別ビットが付加されたＩＤを螺旋状のグルーブ２及びランド３に沿って内側から順に付加していく（ステップＳｔ．１０）。
【００３０】
このＳｔ．１０において、アドレス識別ビットが付加されたＩＤをグルーブ２とランド３との両方の付加する動作が共通アドレス付加手段の機能として実行される。
【００３１】
前述のＳｔ．１０においてＩＤが付加されたグルーブ２及びランド３を図６に示す。図６には、グルーブ２及びランド３に書き込まれた書込情報の情報アドレス２ｎ−５，・・・，２ｎ−１，２ｎ，２ｎ＋１，・・・，２ｎ＋８が示されている。このとき、書込情報は、１周毎に１／２周ずれた位置にトラックジャンプを行なってグルーブ２とランド３と１周毎に交互に書き込まれている。
【００３２】
図６から図７に示す関係が得られる。図７は、グルーブ２又はランド３に書き込む書込情報の情報アドレスをＩＤから求める演算式を説明するための説明図である。図７においてｍは、１周分のグルーブ２及びランド３に形成されているブロックの数である。また、Ｇはグルーブ、Ｌはランドを表す。さらに、Ｎとｎとは等しい値である。また、グルーブ２で書込情報を書き込み始める位置から１／２周分のブロックのＩＤに付加されるアドレス識別ビットを０とし、残りの１／２周分のブロックのＩＤに付加されるアドレス識別ビットを１とする（ステップＳｔ．９）。
【００３３】
図７より、グルーブ２に書き込む書込情報の情報アドレスが２ｎ＋ｘで求められることが分かる。ｘはＩＤの番号とＮとの差異である。この２ｎ＋ｘを第一の演算式とする。また、アドレス識別ビットが０であるＩＤが付加されたランド３に書き込む書込情報の情報アドレスが２ｎ−ｍ／２＋ｘで求めることがわかる。この２ｎ−ｍ／２＋ｘを第二の演算式とする。さらに、アドレス識別ビットが１であるＩＤが付加されたランド３に書き込む書込情報の情報アドレスが２ｎ＋ｍ＋ｘで求めることがわかる。この２ｎ＋ｍ＋ｘを第三の演算式とする。
【００３４】
図５に基づいてグルーブ又はランドに書き込む書込情報の情報アドレスをアドレス識別ビットが付加されたＩＤから求める動作を説明する。書込スタートキーが押され、書込動作が開始されると、ＩＤを検出する。そして、このＩＤの最上位に付加されたアドレス識別ビットに基づき、このＩＤの付加されたブロックの位置が書込情報を書き込み始める位置から１／２周分のグルーブ２及びランド３内であるか否かを判断する（ステップＳｔ．１１）。
【００３５】
このＳｔ．１１において、アドレス識別ビットが付加されたＩＤに基づいてグルーブ及びランドで書込情報を書き込み始める位置から１／２周分と残りの１／２周分とを識別する動作が識別手段の機能として実行される。
【００３６】
前述のＳｔ．１１において、ＩＤの付加されたブロックの位置が書込情報を書き込み始める位置から１／２周分のグルーブ２及びランド３に含まれている（ＹＥＳ）と判断した場合には、グルーブ２に書き込む書込情報の情報アドレスを第一の演算式２ｎ＋ｘにより求め、ランド３に書き込む書込情報の情報アドレスを第二の演算式２ｎ−ｍ／２＋ｘで求める（ステップＳｔ．１２）。
【００３７】
このＳｔ．１２において、アドレス識別ビットが付加されたＩＤに基づいてグルーブ２又はランド３に書き込む書込情報の情報アドレスを検出する動作が第一の書込情報アドレス検出手段の機能として実行される。
【００３８】
前述のＳｔ．１１において、ＩＤの付加されたブロックの位置が書込情報を書き込み始める位置から１／２周分のグルーブ２及びランド３に含まれていない（ＮＯ）と判断した場合には、グルーブ２に書き込む書込情報の情報アドレスを第一の演算式２ｎ＋ｘにより求め、ランド３に書き込む書込情報の情報アドレスを第三の演算式２ｎ＋ｍ＋ｘで求める（ステップＳｔ．１３）。
【００３９】
このＳｔ．１３において、アドレス識別ビットが付加されたＩＤに基づいてグルーブ２又はランド３に書き込む書込情報の情報アドレスを検出する動作が第二の書込情報アドレス検出手段の機能として実行される。
【００４０】
このように、アドレス識別ビットが付加されたＩＤをグルーブ２とランド３との両方に付加し、そのＩＤに基づいてグルーブ２及びランド３で書込情報を書き込み始める位置から１／２周分と残りの１／２周分とを識別し、書込情報を書き込み始める位置から１／２周分のグルーブ２又はランド３に付加されたＩＤである場合には、ＩＤに基づいてグルーブ２に書き込む書込情報の情報アドレスを第一の演算式２ｎ＋ｘで求め、ランド３に書き込む書込情報の情報アドレスを第二の演算式２ｎ−ｍ／２＋ｘで求める。また、残りの１／２周分のグルーブ２又はランド３に付加されたＩＤであると識別手段により識別された場合には、ＩＤに基づいてグルーブ２に書き込む書込情報の情報アドレスを第一の演算式２ｎ＋ｘで求め、ランド３に書き込む書込情報の情報アドレスを第三の演算式２ｎ＋ｍ＋ｘで求める。これにより、アドレス識別ビットが付加されたＩＤをグルーブ２とランド３とで共有することができ、ＩＤに基づいてグルーブ２又はランド３に書き込む書込情報の情報アドレスを得ることができるため、グルーブ２とランド３とに予め付加しておくアドレスが容易に決定される。また、グルーブ２とランド３との間のトラックジャンプを行なうとき１／２周ずれた位置に光ヘッド４をアクセスさせることにより、ＤＶＤ−ＲＡＭが１／２周する間に光ヘッド４を所定の位置にアクセスさせることができるため、グルーブ２とランド３との間のトラックジャンプにかかる時間が短くなる。
【００４１】
参考例としての情報記録装置を図８及び図９に基づいて説明する。図８に基づいてグルーブ２とランド３との両方にＩＤを付加する動作を説明する。情報記録装置にＤＶＤ−ＲＡＭがセットされると、モータ駆動部１１により光ディスク駆動モータ１０が駆動されてＤＶＤ−ＲＡＭを回転させ、光ヘッド駆動部６により光ヘッド４が駆動されてＩＤを螺旋状のグルーブ２及びランド３に付加する（ステップＳｔ．１４）。このとき、ＩＤは、グルーブ２とその外側のランド３とに付加される。その後、ＤＶＤ−ＲＡＭが１／２周したか否かを判断する（ステップＳｔ．１５）。このＳｔ．１５において、ＤＶＤ−ＲＡＭが１／２周していない（ＮＯ）と判断すると、ＤＶＤ−ＲＡＭが１／２周した（ＹＥＳ）と判断されるまで、前述のＳｔ．１４が繰り返し行なわれて１／２周分のグルーブ２とその外側のランド３とにＩＤが付加される。
【００４２】
このＳｔ．１４及びＳｔ．１５において、書込情報を書き込み始める位置から１／２周分のグルーブ２とその外側のランド３とに同一なＩＤを付加する動作が第一の共通アドレス付加手段の機能として実行される。
【００４３】
前述のＳｔ．１５において、ＤＶＤ−ＲＡＭが１／２周したと判断されると、サーボモータ駆動部９によりサーボモータ８が駆動されて光ヘッド４が内側へ移動する。そして、グルーブ２とその内側のランド３とにＩＤを付加する（ステップＳｔ．１６）。その後、ＤＶＤ−ＲＡＭが１／２周したか否かを判断する（ステップＳｔ．１７）。このＳｔ．１７において、ＤＶＤ−ＲＡＭが１／２周していない（ＮＯ）と判断すると、ＤＶＤ−ＲＡＭが１／２周した（ＹＥＳ）と判断されるまで、前述のＳｔ．１４が繰り返し行なわれて１／２周分のグルーブ２とその内側のランド３とにＩＤが付加される。
【００４４】
前述のＳｔ．１６及びＳｔ．１７において、残りの１／２周分のグルーブ２とその内側のランド３とに同一なＩＤを付加する動作が第二の共通アドレス付加手段の機能として実行される。
【００４５】
その後、グルーブ２及びランド３の全ての領域にＩＤが付加されたか否かを判断する（ステップＳｔ．１８）。このＳｔ．１８において、グルーブ２及びランド３の全ての領域にＩＤが付加されていない（ＮＯ）と判断されると、前述のＳｔ．１４以下の動作が繰り返し行なわれてグルーブ２とランド３とにＩＤが付加される。その後、前述のＳｔ．１８において、グルーブ２及びランド３の全ての領域にＩＤが付加された（ＹＥＳ）と判断すると、グルーブ２とランド３との両方にＩＤを付加する動作を終了する。
【００４６】
このようにしてＩＤが付加されたグルーブ２及びランド３を図９に示す。このとき、ＩＤがＮであるグルーブ２のブロックから１周分のグルーブ２に書き込む書込情報の情報アドレスは、第一の演算式２ｎ＋ｘで求められる。また、ＩＤがＮであるランド１５のブロックから１周分のランド１５に書き込む書込情報の情報アドレスは、第二の演算式２ｎ−ｍ／２＋ｘで求められる。このとき、ｘは、ＩＤの番号とＮとの差異である。
【００４７】
従って、グルーブ２に書込情報を書き込む際には、ＩＤに基づいて書込情報の情報アドレスを第一の演算式２ｎ＋ｘで求める。また、ランド３に書込情報を書き込む際には、ＩＤに基づいて書込情報の情報アドレスを第二の演算式２ｎ−ｍ／２＋ｘで求める。この動作が第一の情報アドレス検出手段、第二の情報アドレス検出手段及び情報アドレス検出手段の機能として実行される。
【００４８】
このように、書込情報を書き込み始める位置から１／２周分のグルーブ２とその外側のランド３との両方に同一なＩＤを付加し、残りの１／２周分のグルーブ２とその内側のランド３との両方に同一なＩＤを付加し、ＩＤに基づいて書込情報を書き込み始める位置から１周分のグルーブに書き込む書込情報の情報アドレスを第一の演算式２ｎ＋ｘで求め、ＩＤに基づいて書込情報を書き込み始める位置から１周分のランドに書き込む書込情報の情報アドレスを第二の演算式２ｎ−ｍ／２＋ｘで求める。これにより、ＩＤをグルーブ２とランド３とで共有することができ、ＩＤに基づいてグルーブ２又はランド３に書き込む書込情報の情報アドレスを容易に得ることができるため、グルーブ２とランド３とに予め付加しておくアドレスが容易に決定される。
【００４９】
請求項３記載の発明の実施の一形態の情報記録装置を図１０及び図１１に基づいて説明する。ＲＡＭ１６は、グルーブ２又はランド３に書き込む書込情報に付加される情報アドレスを格納する情報アドレス格納部である。
【００５０】
図１０に基づいて情報記録装置による書込動作を説明する。入力部１４より書込情報が入力され、書込スタートキーが押されると、ブロック１６個分のＥＣＣ（Ｅrror Ｃorrecting Ｃode：誤り訂正符号）を書込情報に付加する（ステップＳｔ．１９）。そして、モータ駆動部１１により光ディスク駆動モータ１０が駆動されてＤＶＤ−ＲＡＭを回転させ、光ヘッド駆動部６により光ヘッド４が駆動されてグルーブ２に書込情報を書き込む（ステップＳｔ．２０）。このとき、ＲＡＭ１６に記憶されている情報アドレスを引き出し、グルーブ２の各ブロックに書き込む書込情報に情報アドレスを付加する。この動作が情報アドレス付加手段の機能として実行される。そして、情報アドレスが付加された書込情報をグルーブ２に書き込む毎にＲＡＭ１６に記憶されている情報アドレスを１ずつ増加させる。この動作が情報アドレス増加手段の機能として実行される。従って、グルーブ２に書き込んだ順序に従って１ずつ大きくなる情報アドレスが書込情報に付加される。
【００５１】
その後、グルーブ２を１６周し、１６周分のグルーブ２に書込情報を書き込んだか否かを判断する（ステップＳｔ．２１）。このＳｔ．２１においてグルーブ２を１６周していない（ＮＯ）と判断した場合には、前述のＳｔ．１が繰り返し行なわれ、グルーブ２のブロックに書込情報を順次書き込む。
【００５２】
前述のＳｔ．２１において、グルーブ２を１６周し、１６周分のグルーブ２に書込情報ｎ，ｎ＋１，・・・，ｎ＋６３を書き込んだ（ＹＥＳ）と判断すると、書込動作を一旦停止し、ＤＶＤ−ＲＡＭに書き込んでいない書込情報があるか否かを判断する（ステップＳｔ．２２）。このＳｔ．２２において、ＤＶＤ−ＲＡＭに書き込んでいない書込情報がない（ＮＯ）と判断された場合には、書込動作を終了する。
【００５３】
前述のＳｔ．２２においてＤＶＤ−ＲＡＭに書き込んでいない書込情報がある（ＹＥＳ）と判断された場合には、サーボモータ駆動部９によりサーボモータ８が駆動され、前述のＳｔ．２において書込情報を書き込み始めたブロックの内側のランド３へ光ヘッド４が移動する。そして、書込動作を一旦停止させた位置のブロックから１／２ずれた位置のブロックにアクセスする。このようにして１／２周ずれた位置にトラックジャンプを行なう（ステップＳｔ．２３）。
【００５４】
そして、ランド３に書込情報を書き込む（ステップＳｔ．２４）。このとき、グルーブ２に書込情報を書き込む場合と同様に、ランド３に書き込んだ順序に従って情報アドレスが１ずつ大きくなるように書込情報に付加される。また、ランド３に書き込む書込情報の情報アドレスとＳｔ．２０においてグルーブ２に書き込んだ書込情報の情報アドレスとが連続的に増加するように情報アドレスが付加される。
【００５５】
その後、ランド３を１６周し、１６周分のランド３に書込情報を書き込んだか否かを判断する（ステップＳｔ．２５）。このＳｔ．２５においてランド３を１６周していない（ＮＯ）と判断した場合には、前述のＳｔ．２４が繰り返し行なわれ、ランドのブロックに書込情報ｎ＋４，ｎ＋５，…，ｎ＋１２７を書き込む。
【００５６】
前述のＳｔ．２１及びＳｔ．２５において、グルーブ２とランド３との間のトラックジャンプを１６周毎に行なって書込部によりグルーブ２とランド３とに交互に書込情報を書き込む動作がトラックジャンプ手段の機能として実行される。
【００５７】
前述のＳｔ．５において、１６周分のランド３に書込情報ｎ＋４，ｎ＋５，…，ｎ＋１２７を書き込んだ（ＹＥＳ）と判断すると、書込動作を一旦停止し、ＤＶＤ−ＲＡＭに書き込んでいない書込情報があるか否かを判断する（ステップＳｔ．２６）。このＳｔ．２６において、ＤＶＤ−ＲＡＭに書き込んでいない書込情報がない（ＮＯ）と判断した場合には、書込動作を終了する。
【００５８】
前述のＳｔ．２６においてＤＶＤ−ＲＡＭに書き込んでいない書込情報がある（ＹＥＳ）と判断した場合には、サーボモータ駆動部９によりサーボモータ８が駆動され、光ヘッド４がＤＶＤ−ＲＡＭの半径方向にランド３からすぐ内側のグルーブ２へ移動する。そして、書込動作を一旦停止させた位置のブロックから１／２ずれた位置のブロックにアクセスする。このようにして１／２周ずれた位置にトラックジャンプを行なう（ステップＳｔ．２７）。そして、前述のＳｔ．１９以下の動作が繰り返し行なわれ、グルーブ２とランド３とに１６周毎に交互に書込情報を書き込む。
【００５９】
前述のＳｔ．２３及びＳｔ．２７において、グルーブ２とランド３との間のトラックジャンプを行なうとき１／２周ずれた位置に光ヘッド４をアクセスさせる動作が書込アクセス手段の機能として実行される。
【００６０】
このように、ブロック１６個分のＥＣＣを書込情報に付加し、書込情報に情報アドレスを付加し、グルーブ２とランド３との間のトラックジャンプを１６周毎に行なって光ヘッド４によりグルーブ２とランド３とに交互に書込情報を書き込み、書込情報をグルーブ２又はランド３に書き込む毎に情報アドレスを順次増加させて書込情報に付加することにより、書込情報に付加されるＥＣＣをグルーブ２とランド３とに分けて書き込むのを防止できるため、ＥＣＣの処理を行なう処理時間が長くなるのが防止される。また、グルーブ２とランド３との間のトラックジャンプを行なうとき１／２周ずれた位置に光ヘッド４をアクセスさせることにより、ＤＶＤ−ＲＡＭが１／２周する間に光ヘッド４を所定の位置にアクセスさせることができるため、グルーブ２とランド３との間のトラックジャンプにかかる時間が短くなる。
【００６１】
なお、本実施の形態においては、グルーブ２又はランド３のブロック１６個分のＥＣＣについて説明したが、ＥＣＣがブロック１６個分のものに限定される訳ではない。
【００６２】
また、本発明の実施の形態においては、１周分のグルーブ２及びランド３に形成されたブロックの数が４個のものについて説明したが、１周分のグルーブ２及びランド３に形成されるブロックの数が４個に限定される訳ではない。
【００６３】
さらに、本発明の実施の形態においては、書込情報を書き込み始める位置をグルーブ２として説明したが、書込情報を書き込み始める位置はランド３でも良い。
【００６４】
また、本発明の実施の形態においては、情報記録媒体がＤＶＤ−ＲＡＭであるとして説明したが、情報記録媒体はＤＶＤ−ＲＡＭに限定される訳ではない。
【００６５】
【発明の効果】
請求項１記載の発明によれば、書込情報が書き込まれるグルーブとランドとが形成され、前記グルーブと前記ランドとに１周毎に交互に書き込まれた前記書込情報に情報アドレスが連続的に増加されて付加された情報記録媒体において、前記グルーブに書き込まれた前記書込情報に付加された前記情報アドレスと前記ランドに書き込まれた前記書込情報に付加された前記情報アドレスとの間で連続的に増加する前記情報アドレスが１／２周ずれた位置にあるので、グルーブとランドとの間のトラックジャンプを行なうとき情報記録媒体が１／２周する間に所定の位置にアクセスさせることができ、これにより、グルーブとランドとの間のトラックジャンプにかかる時間を短くすることができる。
【００６６】
請求項２記載の発明によれば、グルーブとランドとの間のトラックジャンプを行なうとき１／２周ずれた位置に書込部を書込アクセス手段によりアクセスさせることにより、情報記録媒体が１／２周する間に書込部を所定の位置にアクセスさせることができるため、グルーブとランドとの間のトラックジャンプにかかる時間を短くすることができる。また、識別情報付加手段により識別情報が付加された共通アドレスをグルーブとランドとの両方に共通アドレス付加手段により付加し、識別情報が付加された共通アドレスに基づいてグルーブ及びランドで書込情報を書き込み始める位置から１／２周分と残りの１／２周分とを識別手段により識別し、書込情報を書き込み始める位置から１／２周分のグルーブ又はランドであると識別手段により識別された場合、識別情報が付加された共通アドレスに基づいてグルーブ又はランドに書き込む書込情報の情報アドレスを第一の書込情報アドレス検出手段により検出し、残りの１／２周分のグルーブ又はランドであると識別手段により識別された場合、識別情報が付加された共通アドレスに基づいてグルーブ又はランドに書き込む書込情報の情報アドレスを第二の書込情報アドレス検出手段により検出することにより、識別情報が付加された共通アドレスをグルーブとランドとで共有することができ、共通アドレスに基づいてグルーブ又はランドに書き込む書込情報の情報アドレスを得ることができるため、グルーブとランドとに予め付加しておくアドレスを容易に決定することができる。
【００６９】
請求項３記載の発明によれば、グルーブ及びランドのブロックＮ個分のＥＣＣを書込情報に付加し、書込情報に情報アドレスを付加し、グルーブとランドとの間のトラックジャンプをトラックジャンプ手段によりＮ周の整数倍毎に行なって書込部によりグルーブとランドとに交互に書込情報を書き込み、また、書込情報をグルーブ又はランドに書き込む毎に情報アドレス格納部に格納されている情報アドレスを情報アドレス増加手段により順次増加させることにより、書込情報に付加されるＥＣＣをグルーブとランドとに分けて書き込むのを防止できるため、ＥＣＣの処理を行なう処理時間が長くなるのを防止できる。また、グルーブとランドとの間のトラックジャンプを行なうとき１／２周ずれた位置に書込部を書込アクセス手段によりアクセスさせることにより、情報記録媒体が１／２周する間に書込部を所定の位置にアクセスさせることができるため、グルーブとランドとの間のトラックジャンプにかかる時間を短くすることができる。
【００７１】
請求項４記載の発明によれば、グルーブ及びランドが形成された記録層をＡｇＩｎＳｂＴｅ系の記録材料により形成することにより、オーバーライト特性が向上する。
【図面の簡単な説明】
【図１】  請求項１及び４記載の発明の実施の一形態の情報記録装置の動作を示すフローチャートである。
【図２】  情報記録装置の構成を示すブロック図である。
【図３】  情報記録媒体のグルーブとランドとを示す平面図である。
【図４】  請求項１及び２記載の発明の実施の一形態の情報記録装置がグルーブとランドとに共通アドレスを付加する動作を示すフローチャートである。
【図５】  情報記録装置が共通アドレスから書込情報の情報アドレスを検出する動作を示すフローチャートである。
【図６】  情報記録媒体のグルーブとランドとを示す平面図である。
【図７】  共通アドレスと情報アドレスとの関係を示す説明図である。
【図８】  参考例としての情報記録装置が情報記録媒体のグルーブとランドとに共通アドレスを付加する動作を示すフローチャートである。
【図９】  情報記録媒体のグルーブとランドとを示す平面図である。
【図１０】  請求項１及び３記載の発明の実施の一形態の情報記録装置が情報記録媒体のグルーブとランドとにＮ周毎に交互に書込情報を書き込む動作を示すフローチャートである。
【図１１】  情報記録媒体のグルーブとランドとを示す平面図である。
【図１２】  従来例の情報記録装置で情報を書き込んだ情報記録媒体のグルーブとランドとを示す平面図である。
【符号の説明】
１      書込部
１６      グルーブ
１７      ランド
【図１】
0003695667.tif 000002
【図２】
0003695667.tif 000003
【図３】
0003695667.tif 000004
【図４】
0003695667.tif 000005
【図５】
0003695667.tif 000006
【図６】
0003695667.tif 000007
【図７】
0003695667.tif 000008
【図８】
0003695667.tif 000009
【図９】
0003695667.tif 000010
【図１０】
0003695667.tif 000011
【図１１】
0003695667.tif 000012
【図１２】
0003695667.tif 000013